(57)【要約】【課題】  番組映像のチャンネルと電子番組ガイドのチャンネルとを相互に独立して操作できるようにしたデジタル放送受信装置及びそれを実現するためのコンピュータプログラムを提供する。【解決手段】  ディジタル放送波を受信し、当該放送波に含まれるデータを処理して表示手段に表示するようにしたディジタル放送受信装置において、前記番組映像のチャンネルと前記電子番組表のチャンネルとを独立して切り替えるための第１及び第２のチューナー１２，１３と、第１及び第２のチューナー１２，１３により切り替えられたチャンネルの番組映像及び電子番組表の２画面を表示デバイス２０に表示させるための処理をする、デマルチプレクサ（ＤＥＭＵＸ）１４，１５、映像信号処理回路１６、ＥＰＧ処理回路１７及びＣＰＵ２３を備えている。【選択図】        図１
2005244779.tif 000002
【特許請求の範囲】
【請求項１】
デジタル放送波を受信し、当該放送波に含まれるデータを処理して表示手段に表示するようにしたデジタル放送受信装置において、
前記デジタル放送波に含まれる番組映像のチャンネルと電子番組表のチャンネルとを独立して切り替えるチャンネル切替手段と、
前記チャンネル切替手段により切り替えられたチャンネルの番組映像及び電子番組表の２画面を前記表示手段の１画面中に表示させる演算手段と
を備えたことを特徴とするデジタル放送受信装置。
【請求項２】
デジタル放送波をチューニングする第１及び第２のチューナーを備え、前記第１のチューナーにより前記番組映像のチャンネルを切り替え、前記第２のチューナーにより前記電子番組表のチャンネルを切り替えることを特徴とする請求項１記載のデジタル放送受信装置。
【請求項３】
前記番組映像の画面と前記電子番組表の画面との表示比率が格納された記憶手段を備え、
前記演算手段は、前記記憶手段に格納された表示比率に基づいて前記番組映像の画面と前記電子番組表の画面とを前記表示手段に同時に表示させることを特徴とする請求項１又は２記載のデジタル放送受信装置。
【請求項４】
前記記憶手段には前記電子番組表で表示されるチャンネル数が格納され、
前記演算手段は、前記記憶手段に格納されたチャンネル数の前記電子番組表を、前記表示手段に表示させることを特徴とする請求項１〜３の何れかに記載のデジタル放送受信装置。
【請求項５】
各種の操作信号を出力する操作手段を備え、
前記記憶手段には映像フラグ及び電子番組表フラグが格納され、
前記演算手段は、前記操作手段段からの操作信号に基づいて映像フラグ及び電子番組表フラグの何れか一方をアクティブとし、前記操作手段からのチャンネル信号に基づいてアクティブになっている前記フラグに対応した第１のチューナー又は第２のチューナーをチューニングすることを特徴とする請求項１〜４の何れかに記載のデジタル放送受信装置。
【請求項６】
前記演算手段は、前番組映像の画面及び前記電子番組表の画面の内、アクティブとなっている前記フラグに対応する方の画面に、操作可能であることを示す識別表示を前記表示手段に表示させることを特徴とする請求項５記載のデジタル放送受信装置。
【請求項７】
前記演算手段は、前記電子番組表に表示された番組の内、受信中又は受信可能な番組を他の番組と区別して前記表示手段に表示させることを特徴とする請求項６記載のデジタル放送受信装置。
【請求項８】
前記演算手段は、前記電子番組表に表示された番組のチャンネルを前記操作手段からの操作信号に基づいて特定し、前記第１のチューナーをチューニングして前記番組映像が前記チャネルになるようにすることを特徴とする請求項６又は７記載のデジタル放送受信装置。
【請求項９】
前記演算手段は、前記操作手段からの操作信号に基づいて、前記表示手段に表示させる画面を、前記番組映像の画面及び前記電子番組表の画面の双方又は何れか一方に切り替えることを特徴とする請求項５〜８の何れかに記載のデジタル放送受信装置。
【請求項１０】
請求項１〜請求項９の何れかに記載のデジタル放送受信装置の前記演算手段の演算処理をコンピュータに実行させることを特徴とするコンピュータプログラム。
【発明の詳細な説明】
【技術分野】
【０００１】
本発明は、デジタル放送を受信するデジタル放送受信装置に関し、特に番組映像及びＥＰＧ（電子番組表：Ｅｌｅｃｔｒｏｎｉｃ  Ｐｒｏｇｒａｍ  Ｇｕｉｄｅ）に関する。
【背景技術】
【０００２】
衛星や地上波を用いたデジタル放送は、映像信号及び音声信号に加えて、番組情報を送信している。デジタル放送受信装置は、専用のアンテナや地上波用アンテナを通して受け取った複数の放送波のなかから任意の放送波をチューナーによって選択して、この選択された放送波に含まれる複数のチャンネルのなかから任意のチャンネルをデマルチプレクス処理によって選択し、この選択されたチャンネルのデジタル信号を取り出し、これをデコードすることによって映像信号、音声信号及び番組情報をそれぞれ出力している。番組情報は、番組名、番組開始時刻、番組内容情報、番組ジャンル情報等の各種情報を含んでおり、受信装置側ではＯＳＤ（オンスクリーンディスプレイ）機能を用いたＥＰＧ表示機能によって多チャンネル放送のなかからユーザが望む番組を選択することができるようになっている。このようなデジタル放送受信装置には、番組映像及び電子番組表に関連して各種の提案がなされており、例えば番組映像の画面と電子番組表の画面とを１つの画面に表示し、その際に、例えば番組映像の表示面積と電子番組表の表示面積との割合を、利用者の操作に応じて変更するようにしているものがある（例えば特許文献１参照）。
【０００３】
【特許文献１】特開２００３−３３３４５２号公報
【発明の開示】
【発明が解決しようとする課題】
【０００４】
上記のデジタル放送受信装置（特許文献１）においては、番組映像の表示面積と電子番組ガイドの表示面積との割合を利用者の操作に応じて変更するようにしているが、番組映像のチャンネルは電子番組表のチャンネルに対して従属関係にあり、例えば電子番組表のチャンネルを変更すると、元の番組映像をそのまま継続して見たい場合であっても、番組映像のチャンネルが電子番組表のチャンネルに追随して変更されてしまう、という問題点があった。
【０００５】
本発明は、このような問題点を解決するためになされたものであり、番組映像のチャンネルと電子番組ガイドのチャンネルとを相互に独立して操作できるようにしたデジタル放送受信装置及びそれを実現するためのコンピュータプログラムを提供することを目的とする。
【課題を解決するための手段】
【０００６】
本発明に係るデジタル放送受信装置は、デジタル放送波を受信し、当該放送波に含まれるデータを処理して表示手段に表示するようにしたデジタル放送受信装置において、前記番組映像のチャンネルと前記電子番組表のチャンネルとを独立して切り替えるチャンネル切替手段と、前記チャンネル切替手段により切り替えられたチャンネルの番組映像及び電子番組表の２画面を前記表示手段の１画面中に表示させる演算手段とを備えたものである。前記番組映像のチャンネルと前記電子番組表のチャンネルとがそれぞれ独立して切り替えられるので、例えば電子番組表のチャンネルが変更されても、元の番組映像をそのまま継続して見ることができ、使い勝手のよい受信装置が実現されている。
【０００７】
本発明に係るデジタル放送受信装置は、デジタル放送波をチューニングする第１及び第２のチューナーを備え、前記第１のチューナーにより前記番組映像のチャンネルを切り替え、前記第２のチューナーにより前記電子番組表のチャンネルを切り替える。第１及び第２のチューナーを備えたことにより、前記番組映像のチャンネルと前記電子番組表のチャンネルとをそれぞれ独立して任意に切り替えることができる。
【０００８】
本発明に係るデジタル放送受信装置は、前記番組映像の画面と前記電子番組表の画面との表示比率が格納された記憶手段を備え、前記演算手段は、前記記憶手段に格納された表示比率に基づいて前記番組映像の画面と前記電子番組表の画面とを前記表示手段に同時に表示させる。番組映像の画面と電子番組表の画面との表示比率を設定することにより、任意の表示比率の前記番組映像の画面と前記電子番組表の画面とが得られる。
【０００９】
本発明に係るデジタル放送受信装置において、前記記憶手段には前記電子番組表で表示されるチャンネル数が格納され、  前記演算手段は、前記記憶手段に格納されたチャンネル数の前記電子番組表を前記表示手段に表示させる。前記電子番組表で表示されるチャンネル数を任意に設定することにより、例えば１チャンネル分〜数チャンネル分の任意のチャンネル分の番組表を表示させることができる。
【００１０】
本発明に係るデジタル放送受信装置は、各種の操作信号等を出力する操作手段を備え、前記記憶手段には映像フラグ及び電子番組表フラグが格納され、前記演算手段は、前記操作手段段からの操作信号に基づいて映像フラグ及び電子番組表フラグの何れか一方をアクティブとし、前記操作手段からのチャンネル信号に基づいて、アクティブになっている前記フラグに対応した第１のチューナー又は第２のチューナーをチューニングする。操作手段の操作により番組映像の画面及び電子番組表の画面の何れかをアクティブする選択を行い、選択された番組映像の画面又は電子番組表の画面についてのチャンネルが前記操作手段からのチャンネル信号に基づいて任意に切り替えられる。
【００１１】
本発明に係るデジタル放送受信装置において、前記演算手段は、前番組映像の画面及び前記電子番組表の画面の内、アクティブとなっている前記フラグに対応する方の画面に、操作可能であることを示す識別表示を前記表示手段に表示させる。前番組映像の画面及び前記電子番組表の画面の何れがアクティブとなっているかが分かるので、操作手段によりチャンネルを切り替える際の対象が明確になり、使い勝手良いものとなっている。
【００１２】
本発明に係るデジタル放送受信装置において、  前記演算手段は、前記電子番組表に表示された番組の内、受信中又は受信可能な番組を他の番組と区別して前記表示手段に表示させる。受信中又は受信可能な番組が他の番組と区別して表示されるので、現時点で見たい番組を選択するのが容易になる。
【００１３】
本発明に係るデジタル放送受信装置において、前記演算手段は、前記電子番組表に表示された番組のチャンネルを前記操作手段からの操作信号に基づいて特定し、前記第１のチューナーをチューニングして前記番組映像が前記チャネルになるようにする。前記操作手段の操作により、前記電子番組表に表示された番組のチャンネルから前記番組映像のチャンネルへの移行を簡単に行うことができる。
【００１４】
本発明に係るデジタル放送受信装置において、前記演算手段は、前記操作手段からの操作信号に基づいて、前記表示手段に表示させる画面を、前記番組映像の画面及び前記電子番組表の画面の双方又は何れか一方に切り替える。前記操作手段による操作により、前記番組映像の画面及び前記電子番組表の画面の双方又は何れか一方に切り替えることができるので、使い勝手の良いものとなっている。
【００１５】
本発明に係るコンピュータプログラムは、上記の前記演算手段の演算処理をコンピュータに実行させるものである。
【発明を実施するための最良の形態】
【００１６】
実施形態１．
図１は本発明の実施形態１に係るデジタル放送受信装置の構成を示したブロック図である。このデジタル放送受信装置は、アンテナ１１、チューナー１２，１３、デマルチプレクサ（ＤＥＭＵＸ）１４，１５、映像信号処理回路１６、ＥＰＧ処理回路１７、スケーラ／ＯＳＤ回路（描画処理回路）１８、映像出力回路１９、表示デバイス２０、リモコン送信機２１、リモコン受信回路２２、ＣＰＵ２３及びメモリ２４を備えている。なお、図１のデジタル放送受信装置において、チューナー１２及び１３は本発明のチャンネル切り替え手段に相当し、デマルチプレクサ（ＤＥＭＵＸ）１４，１５、映像信号処理回路１６、ＥＰＧ処理回路１７及びＣＰＵ２３は本発明の演算手段に相当し、スケーラ／ＯＳＤ回路（描画処理回路）１８、映像出力回路１９及び表示デバイス２０は本発明の表示手段に相当し、リモコン送信機２１は本発明の操作手段に相当する。
【００１７】
アンテナ１１は周波数変換器を備えており、例えばＣＳ（Ｃｏｍｍｕｎｉｃａｔｉｏｎ  Ｓａｔｅｌｌｉｔｅ）から送られてくるデジタル放送信号を受信して、周波数変換した信号をチューナ１２，１３に出力する。チューナ１２，１３は、復調回路、逆インタリーブ回路、誤り訂正回路等を備えており、映像・音声データを含む高周波デジタル変調信号のうちから特定周波数の信号を取り出す処理をする。すなわち、デジタル放送の複数のトランスポンダのなかから一つを選択する処理を行う。デマルチプレクサ（ＤＥＭＵＸ）１４，１５は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。特に、デマルチプレクサ（ＤＥＭＵＸ）１４はビデオストリームを映像信号処理回路１６に出力する。なお、デマルチプレクサ（ＤＥＭＵＸ）１４はオーディオストリームを音声処理回路（図示せず）に出力するが、音声回路は従来のものをそのまま用いており、本実施形態の特徴とは直接関係しないので、ここではその説明は省略するものとする。デマルチプレクサ（ＤＥＭＵＸ）１５は、ＰＳＩ／ＳＩに含まれる番組情報（番組名、番組開始時刻、番組内容情報、番組ジャンル情報等）等をＥＰＧ処理回路１７に出力する。
【００１８】
映像信号処理回路１６はビデオデコーダ等を内蔵しており、入力された可変長符号を復号して量子化係数や動きベクトルを求め、逆ＤＣＴ変換や動きベクトルに基づく動き補償制御等を行ってスケーラ／ＯＳＤ回路１８に出力する。ＥＰＧ処理回路１７はＰＳＩ／ＳＩに含まれる番組情報を復号してＣＰＵ２３に出力し、ＣＰＵ２３はその番組情報をスケーラ／ＯＳＤ回路１８に出力する。  スケーラ／ＯＳＤ回路１８は映像信号処理回路１６及びＣＰＵ２３から出力指示された文字情報や色情報に基づく映像データを生成する回路であり、このスケーラ／ＯＳＤ回路１８により、番組情報に基づいてＥＰＧ（Ｅｌｅｃｔｒｏｎｉｃ  Ｐｒｏｇｒａｍ  Ｇｕｉｄｅ）表示、データ放送表示、メニュー画面表示等が行える。また、このスケーラ／ＯＳＤ回路１８はＥＰＧの映像データを映像信号処理回路１６から出力される番組映像データ（番組映像，データ放送映像）に組み込むと共に、この組み込みにおいて番組映像の画面とＥＰＧの画面との面積比率をＣＰＵ２３からの指示に基づいて設定する。映像出力回路１９は、スケーラ／ＯＳＤ回路１８を経た映像データを受け取ってＤ／Ａ変換を行い、例えばコンポジット映像信号に変換して表示デバイス２０に出力し、表示デバイス２０はその映像信号による映像を表示する。
【００１９】
リモコン送信機２１は、ＣＰＵ２３に対して指令を送出するための送信機であり、リモコン送信機２１に設けられたキーを操作すると、そのキーに対応した指令を意味する、例えば信号光（リモコン信号）が送出される。リモコン受信回路２２は、信号光を受光し、これを電気信号に変換してＣＰＵ２３に与える。また、ユーザはこのリモコン送信機２１のキーを用い、前述した番組映像の画面とＥＰＧの画面の比率変更指示（例えばメニュー設定により）を行うことができる。ＣＰＵ２３に接続されているメモリ（例えばＥＥＰＲＯＭ等）２４には、ＥＰＧ画面などを表示するためのＥＰＧデータ（番組情報）の他、データ放送データや、ＣＰＵ２３に所定の演算処理を行わせるためのコンピュータプログラム等が格納されるとともに、番組映像フラグ２４ａ及びＥＰＧフラグ２４ｂが設定されている。番組映像フラグ２４ａ及びＥＰＧフラグ２４ｂは何れかがアクティブ（セット）になるようになっており、例えば番組映像フラグ２４ａがアクティブになっている状態においては、リモコン送信機２１からの操作信号等が番組映像の画面のための操作信号であると判断されて処理され、ＥＰＧフラグ２４ｂがアクティブになっている状態においては、リモコン送信機２１からの操作信号が電子番組の画面のための操作信号であると判断されて処理される。
【００２０】
図２はリモコン送信機２１の正面図である。リモコン送信機２１には各種のキーが取り付けられており、図示のように、例えば数値キー３１、チャンネル増・減キー３２，３３、ボリューム増・減キー３４，３５、移動キー３６、エンターキー３７、スワップキー３８、ＥＰＧキー３９、メニューキー４０等のキーが設けられている。スワップキー３８は、番組映像フラグ２４ａがアクティブになっている状態においてそれが操作されると、ＥＰＧフラグ２４ｂをアクティブにするものである。また、逆に、ＥＰＧフラグ２４ｂがアクティブになっている状態においてそれが操作されると、番組映像フラグ２４ａをアクティブにするものである。ＥＰＧキー３９は、それが操作されることにより、ＥＰＧフラグ２４ｂをアクティブにして電子番組表を表示デバイス２０に表示させるその状態で更に操作されると、電子番組表の表示を取りやめるとともにＥＰＧフラグ２４ｂをクリアする。メニューキー４０は、番組映像及び電子番組表の表示態様（表示画面の割合、電子番組表の表示チャンネル数等）を設定するために用いられる。
【００２１】
図３はＣＰＵ２３の演算処理の過程を示したフローチャートであり、ここではスワップキー３８の操作に関する処理が示されている。なお、この処理はメモリ２４に格納されているプログラムに従ってなされる（このことは後述の図４においても同様である。）。
（Ｓ１１）ＣＰＵ２３はスワップキー３８の操作信号が入力されたかどうかを判断する。スワップキー３８の操作信号が入力されていなければ終了するが、ユーザーがスワップキー３８を操作して操作信号が入力されていると、次の処理（Ｓ１２）に移行する。
（Ｓ１２）ＣＰＵ２３は、番組映像フラグ２４ａを読み出してそれがアクティブ（セット）になっているかどうかを判断する。番組映像フラグ２４ａがアクティブになっている状態とは、例えば数値キー３１を操作したときに、それは番組映像に関するチャンネル信号として受け入れる状態にあることを意味している。
（Ｓ１３）ＣＰＵ２３は、番組映像フラグ２４ａがアクティブ（セット）になっていると判断した場合には、ＥＰＧフラグ２４ｂをアクティブ（セット）し、番組映像フラグ２４ａをリセットする。
（Ｓ１４）ＣＰＵ２３は、番組映像フラグ２４ａがアクティブ（セット）になっていないと判断した場合、即ちＥＰＧフラグ２４ｂをアクティブになっている場合には、番組映像フラグ２４ａをアクティブにし、ＥＰＧフラグ２４ｂをリセットする。
以上のようにして、スワップキー３８の操作により、アクテイブになっている番組映像フラグ２４ａ又はＥＰＧフラグ２４ｂを切り替える。この切り替え操作により、アクテイブになっている側の画面についての操作信号を取り込むことが可能になる。この点についての詳細を図４に基づいて更に詳細に説明する。
【００２２】
図４はＣＰＵ２３の演算処理の過程を示したフローチャートであり、ここでは数値キー３１等の操作に関する処理が示されている。
（Ｓ２１）ＣＰＵ２３は、リモコン送信機２１からチャネル信号が入力されているかどうかを判断する。ここで、チャネル信号とは、数値キー３１、チャンネル増・減キー３２，３３を操作することよりリモコン受信回路２２を介して入力してくる信号である。ＣＰＵ２３は、チャネル信号が入力されていない場合には処理を終了するが、入力されている場合には次の処理（Ｓ２２）に移行する。
（Ｓ２２）ＣＰＵ２３は、メモリ２４の番組映像フラグ２４ａ及びＥＰＧフラグ２４ｂを読み出して何れのフラグがアクティブになっているかを判断する。
（Ｓ２３）ＣＰＵ２３は、番組映像フラグ２４ａがアクティブになっていると判断した場合には、リモコン送信機２１からのチャンネル信号に基づいてチューナー１２をチューニング（調整）する。このチューナー１２のチューニングによりリモコン送信機２１からのチャンネル信号に対応したチャンネルの番組映像が表示デバイス２０に表示されることになる。
【００２３】
（Ｓ２４）ＣＰＵ２３は、ＥＰＧフラグ２４ｂがアクティブになっていると判断した場合には、リモコン送信機２１からのチャンネル信号に基づいてチューナー１３をチューニングする。このチューナー１３のチューニングによりリモコン送信機２１からのチャンネル信号に対応したチャンネルの電子番組表が表示デバイス２０に表示されることになる。
（Ｓ２５）ＣＰＵ２３は、この電子番組表が表示デバイス２０に表示されている状態においてエンターキー３７の操作信号が入力されたかどうかを判断し、エンターキー３７の操作信号が入力されている場合には、表示デバイス２０に表示されている電子番組表において例えばフォーカスされているチャンネルを特定する信号を取り込み、その信号に基づいてチューナー１２をチューニングする。このチューナー１２のチューニングにより、表示デバイス２０に表示されている電子番組表においてフォーカスされた番組の番組映像が表示デバイス２０に表示されることになる。
【００２４】
図５は表示デバイス２０の或る表示状態を示した図である。ここでは例えばチャンネル「ＣＨ２−２」の番組映像が表示されているものとする。この表示は通常の状態であるが、この状態でＥＰＧキー３９が操作されると、ＣＰＵ２３はＥＰＧフラグ２４ｂをアクティブにして電子番組表を表示デバイス２０に図６に示されるように表示させる。
【００２５】
図６（ａ）〜（ｃ）は、上記の処理により番組映像の画面と電子番組表の画面とを合わせて１画面に表示させた例を示している。通常の番組映像表示から図６（ａ）のように２画面機能へ移行させた際には、現在表示している番組に対応した番組の前後数チャンネルの番組情報（本例では前後１チャンネルの３チャンネル分）が番組表に表示される。この状態では、ＥＰＧフラグ２４ｂがアクティブになっているので、電子番組表の画面の周囲に例えば赤枠５１（図においては太枠で表示されている）を表示してその状態にあることを示し、また、番組映像として現在表示されている番組を例えば赤枠等５２で囲んで、当該番組を他の番組と区別して表示する。そして、リモコン送信機２１の移動キー３６を操作することにより、図６（ｂ）に示されるように、赤枠５２（図においては太枠破線と矢印で表示されている）がチャンネル間の番組情報を移動可能とする。このとき、現在の時刻から、受信可能な番組を割り出して、その番組に対して赤枠５２の移動を行う。このとき、エンターキー３７を操作することにより、番組映像の画面に対して選択された番組を瞬時に反映させることも可能である（図４のＳ２５、Ｓ２６参照）。図６（ｂ）の状態からスワップキー３８を操作することにより番組映像フラグ２４ａがアクティブになり、図６（ｃ）に示されるように、番組映像の画面の周囲を赤枠５１で囲う。この状態でリモコン送信機２１の移動キー３６等を操作することにより番組映像の画面のチャンネルが切り替わる（図４のＳ２３参照）。また、図６（ｃ）の状態から例えばＥＰＧキー３９を操作することにより、図５に示される通常の番組映像の画面に戻すことができる。
【００２６】
以上のように本実施形態１においては、２個のチューナー１２，１３を備えたことにより、番組映像のチャンネルと電子番組表のチャンネルとがそれぞれ独立して切り替えられるので、例えば図６（ｂ）のように、電子番組表のチャンネルが変更されても、元の番組映像をそのまま継続して見ることができる。また、番組映像の画面と電子番組表の画面との表示比率や電子番組表で表示されるチャンネル数をメモリ２４に格納することにより、任意の表示比率の前記番組映像の画面と前記電子番組表の画面とが得られるともに、電子番組表で表示されるチャンネル数を任意に表示させることができる。更に、リモコン送信機２１のＥＰＧキー３７又はスワップキー３８の操作により番組映像の画面及び電子番組表の画面の何れかをアクティブする選択を行い、選択された番組映像の画面又は電子番組表の画面についてのチャンネルが、リモコン送信機２１の数値キー３１等の操作により切り替えられるので、番組映像及び電子番組表のそれぞれに対応した操作キーが不要になっている。また、赤枠５１を表示したことにより、番組映像（番組映像フラグ２４ａ）及び電子番組表（ＥＰＧフラグ２４ｂ）の何れがアクティブとなっているかが分かるので、リモコン送信機２１によりチャンネルを切り替える際の対象が明確になり、使い勝手の良いものとなっている。
【００２７】
実施形態２．
図７（ａ）〜（ｃ）は表示デバイス２０における他の表示形態を示した図である。この例では電子番組表は１チャンネル分だけ表示されており（この例では半透明で表示されている）、この設定はメニューキー４０を操作して表示デバイス２０にメニュー画面を表示させることでなされ、その設定情報はメモリ２４に格納される。図７（ａ）は電子番組表がアクティブになっている状態であり、リモコン送信機２１の移動キー３６等を操作することにより電子番組表のチャンネルが変わる。また、番組表の中で赤枠５２で示されるのは、現在の時刻から割り出した受信可能な番組である。図７（ｂ）は図７（ａ）と同じ内容を表示態様の条件を変えて表示している。この例では番組映像の画面を全画面に設定しており、電子番組表の画面を番組映像の画面の上にＯＳＤ表示している。図７（ｃ）は図７（ａ）の表示状態からスワップキー３８を操作したときの表示態様であり、番組映像フラグ２４ａがアクティブになり（図３のＳ１１、Ｓ１２、Ｓ１４）、リモコン送信機２１の移動キー３６等を操作することにより番組映像の画面のチャンネルが切り替わる（図４のＳ２２、Ｓ２３）。
【００２８】
実施形態３．
なお、上記の実施形態１においては操作手段としてリモコン送信機２１の例について説明したが、本発明においてはその例について限定されるものではなく、受信装置本体に取り付けられているキーも該当する。また操作可能であることを示す識別表示（フラグがアクテイブになっている画面の表示）として、赤枠５１を表示する例について説明したが、色は赤に限定されるものではく、また、その形態も枠の限定もされるものではない。このことは、受信中又は受信可能な番組を他の番組と区別して表示させる場合についても同様である。
【図面の簡単な説明】
【００２９】
【図１】本発明の実施形態１に係るデジタル放送受信装置のブロック図。
【図２】リモコン送信機の正面図。
【図３】ＣＰＵの演算処理の過程を示したフローチャート（その１）。
【図４】ＣＰＵの演算処理の過程を示したフローチャート（その２）。
【図５】表示デバイスの或る表示状態を示した説明図。
【図６】番組映像の画面と電子番組表の画面とを１画面で表示させた例を示した図。
【図７】番組映像の画面と電子番組表の画面とを１画面で表示させた他の例の図。
【符号の説明】
【００３０】
１１  アンテナ、１２，１３  チューナー、１４，１５  デマルチプレサ（ＤＥＭＵＸ）、１６  映像信号処理回路、１７  ＥＰＧ処理回路、１８  スケーラ／ＯＳＤ回路、１９  映像出力回路、２０  表示デバイス、２１  リモコン送信機、２２  リモコン受信回路、２３  ＣＰＵ、２４  メモリ、２４ａ  番組映像フラグ、２４ｂ  ＥＰＧフラグ。
【図１】
2005244779.tif 000003
【図２】
2005244779.tif 000004
【図３】
2005244779.tif 000005
【図４】
2005244779.tif 000006
【図５】
2005244779.tif 000007
【図６】
2005244779.tif 000008
【図７】
2005244779.tif 000009